(57)【要約】【課題】９０°−１８０°−９０°タイプの非選択的強制反転パルスをＦＬＡＩＲ法に適用する場合に、その非選択的強制反転パルスを改善して、ＣＳＦフローの影響を除去し、ＣＳＦからの信号を十分に抑制する。【解決手段】非選択的強制反転パルスとして、ｎ個の１８０°パルス４２、４２、…とその前後の１つずつの９０°パルス４１、４３とを時間２τの間に与える。初めの９０°パルス４１と最初の１８０°パルス４２との間の時間はτ／ｎ、つぎの１８０°パルス４２同士の時間間隔は２τ／ｎ、最後の１８０°パルス４２と９０°パルス４３との間の時間はτ／ｎとする。時点ｔ２でＣＳＦの縦磁化がゼロクロスするとき、データ収集用パルスシーケンスを開始する。【選択図】        図２
2004166750.tif 000002
【特許請求の範囲】
【請求項１】
被検体が置かれる空間内に静磁場を発生する静磁場発生手段と、
第１軸、第２軸および第３軸を任意の直交３軸の各軸としたとき、上記空間内に第１軸方向のスライス選択用傾斜磁場パルス、第２軸方向の位相エンコード用傾斜磁場パルスおよび第３軸方向の読み出し用傾斜磁場パルスを印加する傾斜磁場パルス印加手段と、
上記空間内に９０°パルスおよび１８０°パルスを印加するＲＦ送信手段と、
エコー信号を受信し、位相検波した後サンプリングしてＡ／Ｄ変換してデータを得る受信手段と、
上記ＲＦ送信手段、傾斜磁場パルス印加手段および受信手段を制御し、強制反転パルスおよびその後所定の組織の磁化がゼロを通る時点で１個の励起ＲＦパルスの印加から始まるデータ収集用パルス系列からなり、上記の強制反転パルスは、ｎを２以上の整数としたとき、時間２τの期間で印加される、ｎ個の１８０°パルスとそれらの前後の２個の９０°パルスとで構成され、最初の９０°パルスと最初の１８０°パルスとの間の時間間隔がτ／ｎ、１８０°パルス同士の時間間隔が２τ／ｎ、最後の１８０°パルスと９０°パルスとの間の時間間隔がτ／ｎとなっている、パルスシーケンスを繰り返し行なう制御手段と、
収集されたデータから画像を再構成する画像再構成手段と
を備えることを特徴とするＭＲイメージング装置。
【発明の詳細な説明】
【０００１】
【発明の属する技術分野】
この発明は、ＮＭＲ（核磁気共鳴）現象を利用してイメージングを行うＭＲイメージング装置に関し、とくにＩＲ（インバージョン・リカバリー）法と呼ばれる撮像スキャン法を行うＭＲイメージング装置に関する。
【０００２】
【従来の技術】
従来より、スピンエコー法などの通常の撮像用パルスシーケンスの前に反転パルスを加えることによって特定の組織の信号を減衰させた画像を得るＩＲ法が知られている。このＩＲ法において、反転パルスと９０°パルス（励起パルス）との時間間隔を調整し、反転パルスの後、特定組織の縦磁化がゼロ付近にまで回復してきた時点で励起パルスを加えることによってその組織の信号を抑制しようというＦＬＡＩＲ（ＦＬｕｉｄ  Ａｔｔｅｎｕａｔｅｄ  ＩＲ）法もつぎの非特許文献１で知られている。
【０００３】
【非特許文献１】
Ｈａｊｎａｌ，Ｊ．Ｖ．，  Ｂｒｙａｎｔ，Ｄ．Ｊ．，  Ｋａｓｕｂｏｓｋｉ，Ｌ．，  ｅｔ  ａｌ．，  ”Ｕｓｅ  ｏｆ  ｆｌｕｉｄ−ａｔｔｅｎｕａｔｅｄ  ｉｎｖｅｒｓｉｏｎ  ｒｅｃｏｖｅｒｙ  （ＦＬＡＩＲ）  ｐｕｌｓｅ  ｓｅｑｕｅｎｃｅ  ｉｎ  ＭＲＩ  ｏｆ  ｔｈｅ  ｂｒａｉｎ”，  Ｊ．  Ｃｏｍｐｕｔ．  Ａｓｓｉｓｔ  Ｔｏｍｏｇｒ．  １９９２：１６：８４１−８４４
【０００４】
一方、ＩＲ法においてスライス選択用傾斜磁場パルスを印加せずに、方形波等の形状の反転パルスを加える方法も行われている。この非選択的反転パルスをＦＬＡＩＲ法に適用することで、ＣＳＦ（脳脊髄液）のフローからの信号を抑制した画像を得ることもつぎの非特許文献２で提案されている。
【０００５】
【非特許文献２】
Ｓｕｓａｎ  Ｊ．  Ｗｈｉｔｅ，  Ｊｏｓｅｐｈ  Ｖ．  Ｈａｊｎａｌ，  Ｉａｎ  Ｒ．  Ｙｏｕｎｇ  ａｎｄ  Ｇｒａｅｍｅ  Ｍ．  Ｂｙｄｄｅｒ，  ”Ｕｓｅ  ｏｆ  Ｆｌｕｉｄ−Ａｔｔｅｎｕａｔｅｄ  Ｉｎｖｅｒｓｉｏｎ−Ｒｅｃｏｖｅｒｙ  Ｐｕｌｓｅ  Ｓｅｑｕｅｎｃｅｓ  ｆｏｒ  Ｉｍａｇｉｎｇ  ｔｈｅ  Ｓｐｉｎａｌｌ  Ｃｏｒｄ”，  Ｍａｇｎ．  Ｒｅｓｏｎ．  Ｍｅｄ．  ２８  １５３−１６２（１９９２）
【０００６】
また、強制反転パルスとして、９０°−１８０°−９０°のパルスの組み合わせを用いることが知られており、これをＳＥ（スピンエコー）パルスシーケンスに応用した例もつぎの非特許文献３のように見られる。ただし、上記の強制反転パルスはスライス選択用傾斜磁場パルスとともに印加し、選択的反転パルスとして用いている。
【０００７】
【非特許文献３】
Ｔｈｏｍａｓｅ  Ｅ．  Ｃｏｎｔｕｒｏ，  Ｒｏｂｅｒｔ  Ｍ．  Ｋｅｓｓｌｅｒ  ａｎｄ  Ａｌｂｅｒｔ  Ｈ．  Ｂｅｔｈ，  ”ＣｏｏｐｅｒａｔｉｖｅＴ１  ａｎｄ  Ｔ２  Ｅｆｆｅｃｔｓ  ｏｎ  Ｃｏｎｔｒａｓｔ  Ｕｓｉｎｇ  ａ  Ｎｅｗ  Ｄｒｉｖｅｎ  Ｉｎｖｅｒｓｉｏｎ  Ｓｐｉｎ−Ｅｃｈｏ  （ＤＩＳＥ）  ＭＲＩ  Ｐｕｌｓｅ  Ｓｅｑｕｅｎｃｅ”，  Ｍａｇｎ．  Ｒｅｓｏｎ．  Ｍｅｄ．  １５，  ３９７−４１７（１９９０）
【０００８】
さらに、図５のように、９０°−１８０°−９０°のパルスの組み合わせによる選択的強制反転パルスをＦＬＡＩＲ法に適用することも提案されている（非特許文献４を参照）。図５では、強制反転パルスとして、時刻ｔ０で９０°パルス４１を加えた後、時間τ後に１８０°パルス４２を加え、さらに時間τ後の時刻ｔ１で９０°パルス４３を加えている。そして、ＣＳＦなどの特定組織の縦磁化（実線で示す）がゼロ付近に回復したきた時点ｔ２でＳＥ法における９０°パルスを与えてデータ収集用パルスシーケンスを開始する。このＣＳＦのゼロクロス点（時点ｔ２）では、Ｔ１、Ｔ２緩和時間の短い脳の白質（ＷＭ）と灰白質（ＧＭ）は、それぞれ１点鎖線および点線で示すように、励起状態から通常の反転パルスを用いたときより早く回復しており、ＧＭ−ＷＭ間のコントラストが向上するというメリットを得ることができる。この効果を十分に得るためには上記の時間τを１００ｍｓｅｃ程度とする必要がある。
【０００９】
【非特許文献４】
Ｅｒｉｃ  Ｃ．  Ｗｏｎｇ，  Ｔｈｏｍａｓ  Ｔ．  Ｌｉｕ，  Ｗｅｎ−Ｍｉｎｇ  Ｌｕｈ，  ｅｔ  ａｌ．，  ”Ｔ１  ａｎｄ  Ｔ２  Ｓｅｌｅｃｔｉｖｅ  Ｍｅｔｈｏｄ  ｆｏｒ  Ｉｍｐｒｏｖｅｄ  ＳＮＲ  ｉｎ  ＣＳＦ−Ａｔｔｅｎｕａｔｅｄ  Ｉｍａｇｉｎｇ：  Ｔ２−ＦＬＡＩＲ”，  Ｍａｇｎ．  Ｒｅｓｏｎ．  Ｍｅｄ．  ４５，  ５２９−５３２（２００１）
【００１０】
【発明が解決しようとする課題】
しかしながら、従来のように、ＣＳＦフローの信号を抑制するために９０°−１８０°−９０°タイプの非選択的強制反転パルスをＦＬＡＩＲ法に適用した場合、ＣＳＦが高信号で抽出される場所があり、非選択的強制反転パルスを用いる利点がなくなってしまう。これは、つぎのような理由によるものと考えられる。通常の反転パルスは１８０°パルスを単発で加え、その印加時間は非常に短いのに対し、９０°パルス４１と１８０°パルス４２との間および１８０°パルス４２と９０°パルス４３との間の時間はτであって上記のとおり長いものとなる。そのため、短い照射時間の単発パルスではＣＳＦにフローがあっても十分に反転できるが、９０°パルスと１８０°パルスおよび１８０°パルスと９０°パルスの間に時間があることからその間にＣＳＦのフローがあると、マグネットの持つ静磁場の不均一性により、２個目の９０°パルスを印加する時点で横磁化の位相がそろわず、この９０°パルスで磁化を十分反転させることができない箇所が生じる。
【００１１】
この発明は上記に鑑み、９０°−１８０°−９０°タイプの非選択的強制反転パルスをＦＬＡＩＲ法に適用してＣＳＦフローの信号を十分に抑制することができるように改善したＭＲイメージング装置を提供することを目的とする。
【００１２】
【課題を解決するための手段】
上記の目的を達成するため、この発明によるＭＲイメージング装置においては、
被検体が置かれる空間内に静磁場を発生する静磁場発生手段と、
第１軸、第２軸および第３軸を任意の直交３軸の各軸としたとき、上記空間内に第１軸方向のスライス選択用傾斜磁場パルス、第２軸方向の位相エンコード用傾斜磁場パルスおよび第３軸方向の読み出し用傾斜磁場パルスを印加する傾斜磁場パルス印加手段と、
上記空間内に９０°パルスおよび１８０°パルスを印加するＲＦ送信手段と、
エコー信号を受信し、位相検波した後サンプリングしてＡ／Ｄ変換してデータを得る受信手段と、
上記ＲＦ送信手段、傾斜磁場パルス印加手段および受信手段を制御し、強制反転パルスおよびその後所定の組織の磁化がゼロを通る時点で１個の励起ＲＦパルスの印加から始まるデータ収集用パルス系列からなり、上記の強制反転パルスは、ｎを２以上の整数としたとき、時間２τの期間で印加される、ｎ個の１８０°パルスとそれらの前後の２個の９０°パルスとで構成され、最初の９０°パルスと最初の１８０°パルスとの間の時間間隔がτ／ｎ、１８０°パルス同士の時間間隔が２τ／ｎ、最後の１８０°パルスと９０°パルスとの間の時間間隔がτ／ｎとなっている、パルスシーケンスを繰り返し行なう制御手段と、
収集されたデータから画像を再構成する画像再構成手段と
を備えることが特徴となっている。
【００１３】
強制反転パルスとして９０°パルス−多数の１８０°パルス−９０°パルスを採用している。９０°パルスから９０°パルスまでの間に時間があるが、この間、多数の１８０°パルスを短い時間間隔で繰り返し与えて、位相分散を生じる時間的余裕を与えずに集束させるようにしているため、ほとんどコヒレントな状態を保つことができる。そのため、ＣＳＦのフローによってその間に位相分散することが防止でき、ＣＳＦを最後の９０°パルスによって完全に負の縦磁化とすることができる。その結果ＣＳＦからの信号を十分に抑圧した画像を得ることが可能となる。
【００１４】
【発明の実施の形態】
つぎに、この発明の実施の形態について図面を参照しながら詳細に説明する。この発明にかかるＭＲイメージング装置は、図１で示すように構成されている。図１において主マグネット１１は強力な静磁場を発生するもので、この静磁場空間内に図示しない被検体が配置される。また、傾斜磁場コイル１２は、Ｘ，Ｙ，Ｚの直交３軸方向に磁場強度が傾斜する３つの傾斜磁場Ｇｘ、Ｇｙ、Ｇｚを、上記静磁場に重畳するようにして発生するよう３組設けられている。被検体には送信用のＲＦコイル１３と、ＮＭＲ信号の受信用ＲＦコイル１４とが取り付けられる。
【００１５】
ホストコンピュータ２１はシステム全体の制御を行い、シーケンサ２２はこのホストコンピュータ２１の制御の下で、被検体の所望の断面での画像を再構成するためのデータを収集するシーケンス（後に図２を参照しながら説明する）を行うのに必要な種々の命令を送信系、受信系および傾斜磁場発生系に送る。傾斜磁場発生については、波形発生器１５からＧｘ、Ｇｙ、Ｇｚに関する所定のパルス波形を所定のタイミングで発生させて、傾斜磁場電源１６に送らせ、傾斜磁場コイル１２からその波形・タイミングのＧｘ、Ｇｙ、Ｇｚを発生させる。図２のパルスシーケンスで示すスライス選択用傾斜磁場Ｇｓ、読み出し用（周波数エンコード用）傾斜磁場Ｇｒ、位相エンコード用傾斜磁場Ｇｐは、任意の直交３軸のそれぞれ一つの方向に磁場強度が傾斜している傾斜磁場であって、Ｇｘ、Ｇｙ、Ｇｚのいずれか１つをそれぞれ用たり、あるいはいくつかずつを組み合わせて任意方向のものとして作られる。
【００１６】
波形発生器１５は、さらに、シーケンサ２２の制御の下でＲＦパルスの波形を所定のタイミングで発生して振幅変調器２４に送る。この振幅変調器２４には、ＲＦ信号発生器２３からのＲＦ信号がキャリアとして送られてきており、このキャリアが波形発生器１５からの波形信号に応じて振幅変調される。このＲＦ信号発生器２３は、被検体の共鳴周波数に相当する周波数のＲＦ信号を発生するようにホストコンピュータ２１によってセットされている。振幅変調器２４の出力はＲＦパワーアンプ２５を経てＲＦコイル１３に送られる。こうして、ＲＦコイル１３から送信されるＲＦ信号の波形とタイミングとがシーケンサ２２によって定められることにより、図２に示す９０°パルスや１８０°パルスが被検体に照射されることになる。
【００１７】
被検体から発生したＮＭＲ信号は受信用のＲＦコイル１４で受信され、プリアンプ２６を経て位相検波器２７に送られる。位相検波器２７には、送信ＲＦパルスのキャリアとなっているＲＦ信号が、ＲＦ信号発生器２３から送られてきており、この信号が参照信号として用いられて位相検波が行われる。Ａ／Ｄ変換器２８は、シーケンサ２２によってタイミングや周波数などが制御されたサンプリングパルス発生器２９からのサンプリングパルスに応じて、位相検波器２７からの検波信号をサンプリングし、デジタルデータに変換する。このデジタルデータはホストコンピュータ２１に取り込まれ、画像再構成装置３３によってフーリエ変換処理される。これによって再構成された画像はディスプレイ装置３２によって表示される。指示器３１は、オペレータ等がホストコンピュータ２１に必要な指示を与えるためのキーボードやマウスなどである。
【００１８】
このようなＭＲイメージング装置において、ホストコンピュータ２１およびシーケンサ２２の制御の下に、まず図２に示すような強制反転パルスが印加される。基本的には、この強制反転パルスは９０°−１８０°−９０°タイプであって、スライス選択用傾斜磁場パルスは印加しない非選択的な強制反転パルスとなっており、ＦＬＡＩＲ法に適用してＣＳＦフローの信号を十分に抑制することができるようにしたものである。
【００１９】
この場合、９０°−１８０°−９０°タイプの強制反転パルスとなっているが、１８０°パルスは従来のように１個ではなく、ｎ個照射するようにしている（ｎは２以上の整数）。つまり、ここで用いる非選択的強制反転パルスは、ｎ個の１８０°パルス４２、４２、…とその前後の１つずつの９０°パルス４１、４３とからなり、これらを時間２τの間に発生する。初めの９０°パルス４１と最初の１８０°パルス４２との間の時間はτ／ｎ、つぎの１８０°パルス４２同士の時間間隔は２τ／ｎ、最後の１８０°パルス４２と９０°パルス４３との間の時間はτ／ｎとしている。
【００２０】
このような非選択的強制反転パルスを与えたときのプロトンのスピンの磁気モーメントの振る舞いを図３を参照しながら説明すると、９０°パルス４１の前では緩和しているため、図３（ａ）の太線矢印で示すように静磁場の方向Ｚに向いた縦磁化となっている。９０°パルス４１、４３、１８０°パルス４２はＣＰＭＧ条件ないしＣＰＦＨ条件によるものであり、Ｘ方向から照射される９０°パルス４１によって、Ｚ方向の縦磁化がＸ軸の回りに９０°回転して図３（ｂ）に示すようにＹ方向に向いた横磁化となる。つぎに時間が経過して横磁化の位相が図３（ｃ）に示すようにばらばらになってきた時点（τ／ｎの経過時点）で、１８０°パルス４２をＹ方向から照射すると、図３（ｄ）に示すように横磁化がＹ軸回りに１８０°回転するので、分散方向に向かっていた横磁化が再び揃う方向に集束し始め、さらにτ／ｎが経過した時点で図３（ｅ）に示すようにＹ軸に集束する（フォーカスする）。さらに時間が経過すれば再び図３（ｃ）に示すように位相が分散するので、図３（ｄ）に示すようにＹ方向からの１８０°パルス４２（２回目）によってＹ方向の回りに１８０°回転させ、図３（ｅ）に示すようにＹ軸に集束させる。こうして図３（ｃ）〜（ｅ）のプロセスがｎ回繰り返され、ｎ個目の１８０°パルス４２が与えられた後τ／ｎが経過した時点で図３（ｅ）に示すようにＹ軸に集束したときに、９０°パルス４３がＸ軸方向から印加される。そこで、Ｙ方向のコヒレントな横磁化がＸ軸回りにさらに９０°回転してＺ方向とは反対の方向（−Ｚ方向）の縦磁化となる。
【００２１】
したがって、最初に時刻ｔ０で印加された９０°パルス４１によって励起されたスピンは、２τ後の時刻ｔ１での９０°パルス４３によって最終的に反転させられて負の縦磁化となるが、その時点ｔ１で２τ時間経過によって緩和が進んでいる。そのため、Ｔ１、Ｔ２緩和時間の短い白質（ＷＭ）、灰白質（ＧＭ）の磁化の緩和はかなり進んでおり、負の縦磁化の大きさは小さいものとなり、これから正の方向に回復していくので、きわめて早く回復する（ＷＭの緩和は２点鎖線で、ＧＭの緩和は点線で、それぞれ示す）。他方、Ｔ１、Ｔ２ともに長い脳脊髄液（ＣＳＦ）はｔ２の時点ではそれほど緩和は進んでいないので、負の縦磁化は大きなものとなり、そこから正の方向に回復していくため、完全に回復するには時間がかかる。この回復過程で縦磁化がゼロクロスする時点ｔ２で、データ収集のためのパルスシーケンスが開始させられる。
【００２２】
このパルスシーケンスはたとえば図４に示すようなＦＳＥ法によるものとする。ＦＳＥ（  Ｆａｓｔ  Ｓｐｉｎ  Ｅｃｈｏ  の略）法は下記非特許文献５に示されているが、このＦＳＥ法では、まず１個の９０゜パルス（励起ＲＦパルス）５１を印加した後、複数個（ここでは４個）の１８０゜パルス（リフォーカスＲＦパルス）５２、５２、…を加えるとともに、これらのＲＦパルス５１、５２、５２、…の各々と同時にスライス選択用の傾斜磁場Ｇｓのパルス６１、６３、６３を加える。反対極性のＧｓパルス６２はＧｓパルス６１によって乱された位相を揃えるためのリフェーズパルスである。Ｇｓパルス６３は１８０°パルス５２の前後にかかるため、その前後で互いに位相への影響を打ち消し合う。読み出し用（および周波数エンコード用）の傾斜磁場Ｇｒのパルス８１を９０°パルス５１の後で加え、さらに各々の１８０°パルス５２の後でＧｒパルス８２を与えて、１８０°パルス５２、５２の各々の後でスピンエコーの信号を発生させる。位相エンコード用傾斜磁場Ｇｐパルス７１を各々の信号発生前に加えるとともに、信号発生後にその影響を打ち消すよう反対極性で同じ積分値のリフェーズ用のＧｐパルス７２を加える。このＧｐパルス７１は１ＴＲ内の各信号ごとに異なるものして、１ＴＲ（繰り返し期間）で位相エンコードの異なる４つのデータを得る。
【００２３】
【非特許文献５】
”  ＲＡＲＥ  Ｉｍａｇｉｎｇ  ：    Ａ  Ｆａｓｔ  Ｉｍａｇｉｎｇ  Ｍｅｔｈｏｄ  ｆｏｒ  Ｃｌｉｎｉｃａｌ  ＭＲ  ”，Ｍａｇｎｅｔｉｃ  Ｒｅｓｏｎａｎｃｅ  ｉｎ  Ｍｅｄｉｃｉｎｅ，  ３，ｐｐ８２３−８３３，  １９８６
【００２４】
このような、ｔ０〜ｔ１間の非選択的強制反転パルスとｔ２から始まるデータ収集パルスシーケンスとにより１ＴＲを構成し、このＴＲを、Ｇｐパルス７１を矢印に示すようにＴＲごとに少しずつ変化させ、Ｋスペースをすべて埋めるような位相エンコードのデータがすべて得られるまで、繰り返す。こうしてＫスペースをすべて埋めるようなデータが収集できたとき、このＫスペースを２次元フーリエ変換して画像を再構成する処理が画像再構成装置３３によって行われ、その画像がディスプレイ装置３２によって表示される。
【００２５】
ここで、データ収集用パルスシーケンスの９０°パルス５１の印加時点ｔ２では、図２に示すようにＷＭ、ＧＭはほとんど回復しているのに対して、ＣＳＦは回復していないが縦磁化はゼロポイント付近にある。そのため、この時点ｔ２で９０°パルス５１を印加することによってＷＭやＧＭのみを横方向に倒すことができて、ＣＳＦからの信号を抑え、ＷＭやＧＭからの信号のみを取り出すことができる。
【００２６】
しかも、ここでは、強制反転は、９０°パルス４１を与えた後１８０°パルス４２を繰り返し与え、その後９０°パルス４３を与えることによって行っている。１８０°パルス４２は上記のように短い時間間隔で繰り返し与えられるので、横磁化の位相が分散する前に集束させられることになり、ほとんどコヒレントな状態を保ったまま最後の９０°パルス４３の印加を迎える。そのため、ＣＳＦの流れによる位相分散の影響を受けずにＣＳＦを完全に負の縦磁化とすることができて、ＣＳＦからの信号を良好に抑制することができる。つまり、ＣＳＦが流れていくということは、不均一性を残している静磁場中を移動していくことであり、このように不均一な静磁場中を移動するなら位相分散・集束が均一に行われないことになりｔ２時点でフォーカスされないまま負の縦磁化とされる部分も生じる。非選択的強制反転パルスによって全領域で磁化を反転させようとしているのにもかかわらず、位相分散の影響を受けた部分が残ってしまう。ここでは上記のように短い時間間隔の１８０°パルス４２でコヒレントな状態を保ったまま最後の９０°パルス４３で負方向に倒しているため、最初の９０°パルス４１から最後の９０°パルス４３までの間の時間２τがあることによって生じるはずのＣＳＦフローによる位相分散の影響を除くことができるのである。
【００２７】
実際、τ＝１００ｍｓｅｃ、ｎ＝１０とし、１８０°パルス４２の間隔を２０ｍｓｅｃとすることにより、ＣＳＦの十分な抑制効果が得られることが実験によって確かめられている。
【００２８】
なお、上記ではデータ収集用パルスシーケンスとしてＦＳＥ法を採用したが、これに限らないことはもちろんである。また、非選択的強制反転パルスにおける各ＲＦパルスの形状や、ＣＰＭＧ、ＣＰＦＨ等の系列も限定されない。その他、この発明の趣旨を逸脱しない範囲で種々に変更可能である。
【００２９】
【発明の効果】
以上説明したように、この発明のＭＲイメージング装置によれば、９０°−１８０°−９０°タイプの非選択的強制反転パルスをＦＬＡＩＲ法に適用する場合に、その非選択的強制反転パルスを９０°パルス−多数の１８０°パルス−９０°パルスのタイプのものとすることにより、ＣＳＦフローの影響を除去し、ＣＳＦからの信号を十分に抑制することができる。
【図面の簡単な説明】
【図１】この発明の実施の形態にかかるＭＲイメージング装置を示すブロック図。
【図２】同実施形態での強制反転パルスと磁化の緩和を示すタイムチャート。
【図３】同実施形態の強制反転パルスによる磁化の振る舞いの各々を示す概念図。
【図４】同実施形態において行うデータ収集用パルスシーケンスを示すタイムチャート。
【図５】従来の強制反転パルスと磁化の緩和を示すタイムチャート。
【符号の説明】
１１              静磁場発生用主マグネット
１２              傾斜磁場コイル
１３              送信用ＲＦコイル
１４              受信用ＲＦコイル
１５              波形発生器
１６              傾斜磁場電源
２１              ホストコンピュータ
２２              シーケンサ
２３              ＲＦ信号発生器
２４              振幅変調器
２５              ＲＦパワーアンプ
２６              プリアンプ
２７              位相検波器
２８              Ａ／Ｄ変換器
２９              サンプリングパルス発生器
３１              指示器
３２              ディスプレイ装置
３３              画像再構成装置
４１、４３        強制反転パルスの９０°パルス
４２              強制反転パルスの１８０°パルス
５１              データ収集用パルスシーケンスにおける９０°パルス
５２              データ収集用パルスシーケンスにおける１８０°パルス
【図１】
2004166750.tif 000003
【図２】
2004166750.tif 000004
【図３】
2004166750.tif 000005
【図４】
2004166750.tif 000006
【図５】
2004166750.tif 000007